(57)【要約】【課題】  ホームセンターなどで市販されている転倒防止用部材としての粘着振動吸収材である耐震マットを使用して、皿や壺などの物品を支持する支持体がその支持する物品（支持物）を確実に支持し、地震等の災害や人為的なミスによって支持物を転倒・落下することを防止し、さらに物品の盗難を防止できる支持技術を提供することにある。【解決手段】  皿立１０は、台座１１に形成されている突起状の受部１２，１２で皿７０を受けるとともに、背板１６に設けられた取付部材５０によって皿底７１を耐震マット６０で接着し、皿７０を確実に固定している。また、皿立１０も、台座１１の底面に耐震マット６０を貼り付けて接地面８０に固定される。【選択図】  図２
2007117331.tif 000002
【特許請求の範囲】
【請求項１】
物品を支持するための支持体の支持構造であって、
支持する物品に粘着振動吸収材である耐震マットを接着して物品を支持体に固定する耐震マット接着手段を備えたことを特徴とする支持体の支持構造。
【請求項２】
耐震マット接着手段は、支持体に伸縮自在に取り付ける取付部と、取付部の端部にあって可動自在に接続されながら耐震マットを貼り付ける本体部とを備えた取付部材であることを特徴とする請求項１記載の支持体の支持構造。
【請求項３】
既存の支持体に取付部材を後付け可能とする後付部材を使用したことを特徴とする請求項２記載の支持体の支持構造。
【請求項４】
支持体が皿立又は壺台であることを特徴とする請求項１から３のいずれかに記載の支持体の支持構造。
【請求項５】
物品を支持するための支持体の支持方法であって、
支持する物品に粘着振動吸収材である耐震マットを接着して物品を支持体に固定することを特徴とする支持体の支持方法。
【請求項６】
物品を支持するための支持体の支持部材であって、
支持する物品に粘着振動吸収材である耐震マットを接着して物品を支持体に固定するために、少なくとも、支持体に伸縮自在に取り付ける取付部と、取付部の端部にあって可動自在に接続されながら耐震マットを貼り付ける本体部とを備えた取付部材および既存の支持体に取付部材を後付け可能とする後付部材からなることを特徴とする支持体の支持部材。
【発明の詳細な説明】
【技術分野】
【０００１】
本発明は、物品を支持するための支持体の支持技術に関するものである。
【背景技術】
【０００２】
皿や花瓶・花立てなどの物品を支持する支持体には、様々なものがある。
例えば、特許文献１に開示されたものは、皿を支持するための支持体（台座）であり、特許文献２に開示されたものは、花瓶・花立てを支持するための支持体（転倒落下防止器具）である。
【０００３】
ところで、我が国では阪神・淡路大震災（平成７年）や新潟県中越地震（平成１６年）などをはじめとする大地震の他に、中・小規模の地震も多い。そのような地震の際に、置物や展示品，食器などの転倒を防止する技術手段として、特許文献３が開示されている。特許文献３は、置物や展示品、食器、化粧等の容器、文房具等の裏、メモ等を壁につける接粘着シールで、片面は強力接着力の糊で置物等の底や壁等に付け、もう片面は粘着力のある粘着剤（取り外し可能な付箋等についている糊）で棚や机・テーブル上に付けられるようにし、地震や人が触れたりした時に転倒を防止したり、メモ・ポスター等を付けたり外したりできるようにした両面接粘着シールに関するものである。その具体的構造は、防水性等のシール１の表（置物等の側）に接着剤２を塗り、裏（棚やテーブル側）には付けたり外したりができ、ゴミが付いたら水洗いができる粘着剤３を塗った両面接粘着シールを、置物等４・５の底等に接着し、棚や机・テーブル６等の上に粘着できるようにしたものである。
【０００４】
【特許文献１】実用新案登録第３０４１９５２号公報
【特許文献２】特開平１１−１３７３９３号公報
【特許文献３】実用新案登録第３０２４６４０号公報
【発明の開示】
【発明が解決しようとする課題】
【０００５】
上記のように、特許文献３には、置物等４・５の底等に接着し、棚や机・テーブル６等の上に粘着できるようにする両面接粘着シールが使用されているが、一般にホームセンターなどでは転倒防止用部材として大型家電品や家具等の底面に貼り付けて使用される粘着振動吸収材である「耐震マット」が市販されている（例えば、商品名「Ｐｒｏ−７／プロセブン」製造元：プロセブン株式会社）。
【０００６】
本発明者らは、この耐震マットを使用して、皿や壺などの物品を支持する支持体がその支持する物品（支持物）を確実に支持し、地震等の災害や人為的なミス（接触など）によって支持物を転倒・落下することを防止できる支持技術を提供することを目的とし、本発明を完成するに至った。
【課題を解決するための手段】
【０００７】
上記目的を達成するために、第１の発明は、物品を支持するための支持体の支持構造にあって、支持する物品に粘着振動吸収材である耐震マットを接着して物品を支持体に固定する耐震マット接着手段を備えたことを特徴とするものである。
第２の発明は、耐震マット接着手段が、支持体に伸縮自在に取り付ける取付部と、取付部の端部にあって可動自在に接続されながら耐震マットを貼り付ける本体部とを備えた取付部材であることを特徴とするものである。ここで「可動自在」とは、本体部がネジ部に対して角度を変えられる「首振り」可能な状態をいう。
第３の発明は、既存の支持体に取付部材を後付け可能とする後付部材を使用したことを特徴とするものである。
第４の発明は、支持体が皿立又は壺台であることを特徴とするものである。
第５の発明は、物品を支持するための支持体の支持方法にあって、支持する物品に粘着振動吸収材である耐震マットを接着して物品を支持体に固定することを特徴とするものである。
第６の発明は、物品を支持するための支持体の支持部材であって、
支持する物品に粘着振動吸収材である耐震マットを接着して物品を支持体に固定するために、少なくとも、支持体に伸縮自在に取り付ける取付部と、取付部の端部にあって可動自在に接続されながら耐震マットを貼り付ける本体部とを備えた取付部材および既存の支持体に取付部材を後付け可能とする後付部材からなることを特徴とするものである。
【発明の効果】
【０００８】
本発明によれば、次のような効果を有する。
（１）本発明は、支持する物品に粘着振動吸収材である耐震マットを接着して物品を支持体に固定することで、物品が支持体に確実に固定され、物品の転倒・落下を防止できる。
（２）とくに、耐震マットを接着する手段が、支持体に設けられたネジ穴に螺合するネジ部と、ネジ部の端部にあって可動自在に接続されながら耐震マットを貼り付ける本体部とを備えた取付部材であることで、物品と支持体の間隔や物品の支持角度を調整でき、また、物品と耐震マットの接着角度を調整できるので、様々な形状の物品に対してもその物品を支持体に確実に固定できる。
（３）物品が支持体に確実に固定されることで、その物品を支持体から簡単には取り外し難くし、物品の盗難を防止できる。
（４）既存の支持体に後付け可能な後付部材を使用することで、市販されている汎用の支持体にも対応できる。
（５）粘着振動吸収材である耐震マットを利用することで、支持する物品の取付・取外作業を簡易に行うことができ、また、支持する物品の取り付け・取り外しが何回も行える。
【発明を実施するための最良の形態】
【０００９】
本発明の実施形態を図面に基づいて説明する。なお、本実施形態では支持体として「皿立」と「壺台」を使用して説明するが、支持体はこれらに限られるものではない。
図１及び図２は、「皿立」に関する本発明の第１実施形態を示す説明図である。
図１（Ａ）に示すように、支持体である皿立１０は、台座１１とそれに起立して組み立てられる背板１６よりなる。背板１６にはネジ穴１７，１７が設けられており、このネジ穴１７に取付部材５０が取り付けられて耐震マット接着手段となる。なお、図示では、ネジ穴１７は２箇所であるが、これに限るものではない。また、背板１６は、台座１１に対して周知の固定手段１４を用いて取付固定される。
【００１０】
取付部材５０は、取付部としてネジ穴１７に螺合するネジ部５１と、そのネジ部５１の端部にあって可動自在（首振り自在）に接続されながら耐震マットを貼り付ける本体部５５とを備える。また、符号５９は、ネジ穴１７にネジ部５１をロックさせるための蝶形ナットである。ここで、取付部材５０には市販されている金物部材（例えば、商品名「ランプ印アジャスター」製造元：スガツネ工業株式会社）を使用してもよい。
【００１１】
そして、図１（Ｂ）に示すように、取付部材５０の本体部５５に粘着振動吸収材である耐震マット６０を貼り付けるとともに、皿立１０の台座１１の底面四隅にも耐震マット６０を貼り付ける。ここで、使用される耐震マット６０は、ホームセンターなどで市販されている転倒防止用部材としての粘着振動吸収材（例えば、商品名「Ｐｒｏ−７／プロセブン」製造元：プロセブン株式会社）を使用する。
【００１２】
図２は、実際に皿７０を支持している状態を示した皿立１０の側面図である。
皿立１０は、台座１１に形成されている突起状の受部１２，１２で皿７０を受けるとともに、背板１６に設けられた取付部材５０によって皿底７１を耐震マット６０で接着し、皿７０を確実に固定している。また、皿立１０も、台座１１の底面に耐震マット６０を貼り付けて接地面８０に固定される。従って、地震等の振動や接触などによって、皿７０が皿立１０から外れて転倒・落下したり、皿７０を支持している皿立１０自体が転倒・落下し皿７０を破損することを防止できる。
【００１３】
皿立１０が支持する皿７０の形状・サイズは様々である。取付部材５０は、支持する皿７０の形状に応じて、取り付ける背板１６のネジ穴１７を選択する。また、皿７０と背板１６との間隔や皿７０の立てる角度に応じて、取付部材５０のネジ部５１の長さを調整し、皿７０と耐震マット６０との接着角度を取付部材５０の本体部５５で調整する。これによって、様々な形状の、ある程度の範囲のサイズの皿７０を皿立１０に確実に固定できる。なお、皿７０の耐震マット６０との接着部位は、図示のように皿底７１に限定するものではなく、皿７０のいずれかの部位に接着できればよい。
【００１４】
図３は、「皿立」に関する本発明の第２実施形態を示す説明図である。
図３に示す皿立２０は、第１実施形態に示す皿立１０とは異なる簡易タイプの皿立（その１）であり、左右対称の略Ｌ字形部材２１，２１を蝶番２２で開閉自在に接続した皿立である。この皿立２０に対しても、中心部に取付部材５０を取り付けて耐震マット６０を貼り付けた耐震マット接着手段とし、また、皿立２０の底面四隅にも耐震マット６０を貼り付ける。これによって、上記皿立１０と同様に、地震等の振動や接触などによって、皿が皿立２０から外れて転倒・落下したり、皿を支持している皿立２０自体が転倒・落下し皿を破損することを防止できる。
【００１５】
図４は、「皿立」に関する本発明の第３実施形態を示す説明図である。
図４に示す皿立２５は、第１実施形態に示す皿立１０とは異なる簡易タイプの皿立（その２）であり、略コ字形の台座２６に背板２７を起立させた皿立である（図示省略するが、背板２７は台座２６に対して周知の固定手段を用いて取付固定されている）。この皿立２５に対しても、背板２７のネジ穴２８に取付部材５０を取り付けて耐震マット６０を貼り付けた耐震マット接着手段とし、また、台座２６の底面四隅にも耐震マット６０を貼り付ける。これによって、上記皿立１０と同様に、地震等の振動や接触などによって、皿が皿立２５から外れて転倒・落下したり、皿を支持している皿立２５自体が転倒・落下し皿を破損することを防止できる。
【００１６】
図５は、「皿立」に関する本発明の第４実施形態を示す説明図である。
「皿立」に関する本発明の第１〜第３実施形態が、本発明専用のオリジナルな皿立１０，２０，２５を使用していたのに対して、第４実施形態では、市販されている汎用の皿立３０を使用したものである。図５（Ａ）に示すように、汎用の皿立３０には、取付部材５０を取り付けるためのネジ穴が設けられていない。このネジ穴を形成するために、ネジ穴３２，３２，…を有し、既存の皿立３０に取付け可能な後付部材３１，３１を使用する。図５（Ｂ）に示すように、この後付部材３１，３１を背板３５に取り付けることで、皿立３０にネジ穴３２を設けることができ、取付部材５０を取り付けることができるようになる。これによって、皿立３０を第１〜第３実施形態の皿立１０，２０，２５と同様に利用できる。
【００１７】
図６は、「壺台」に関する本発明の実施形態を示す説明図である。
図６（Ａ）に示すように、壺台４０にネジ穴４２を設け、そこに取付部材５０を取り付け、取付部材５０の本体部５５に粘着振動吸収材である耐震マット６０を貼り付けるとともに、壺台４０の底面四隅にも耐震マット６０を貼り付ける。
図６（Ｂ）に、実際に壺台４０が壺７５を支持している状態を示す。
壺台４０は、ネジ穴４２から伸びる取付部材５０によって壺底７６を耐震マット６０で接着し、壺７５を確実に固定している。また、壺台４０も、その底面に耐震マット６０を貼り付けて接地面８０に固定される。従って、地震等の振動や接触などによって、壺７５が壺台４０から外れて転倒・落下したり、壺７５を支持している壺台４０自体が転倒・落下し壺７５を破損することを防止できる。
【産業上の利用可能性】
【００１８】
本発明は、物品を販売する百貨店や専門店、物品を展示する美術館・博物館や展示会などで利用することができる。また、コレクションなどを所有する者が私的に利用することもできる。以上は、本発明利用例の一例であり、これらの例に限定されることなく、地震等の災害や人為的ミスによる物品の転倒・落下を防止することに広く利用できるものである。また、物品の盗難を防止するものにも広く利用できるものである。
【図面の簡単な説明】
【００１９】
【図１】「皿立」に関する本発明の第１実施形態を示す説明図（斜視図）。
【図２】「皿立」に関する本発明の第１実施形態を示す説明図（側面図）。
【図３】「皿立」に関する本発明の第２実施形態を示す説明図。
【図４】「皿立」に関する本発明の第３実施形態を示す説明図。
【図５】「皿立」に関する本発明の第４実施形態を示す説明図。
【図６】「壺台」に関する本発明の実施形態を示す説明図。
【符号の説明】
【００２０】
１０  皿立    １１  台座    １２  受部        １４  固定手段  １６  背板
１７  ネジ穴  ２０  皿立    ２１  Ｌ字形部材  ２２  蝶番      ２５  皿立
２６  台座    ２７  背板    ２８  ネジ穴      ３０  皿立      ３１  後付部材
３２  ネジ穴  ３５  背板    ４０  壺台        ４２  ネジ穴    ５０  取付部材
５１  ネジ部  ５５  本体部  ５９  蝶形ナット  ６０  耐震マット
７０  皿      ７１  皿底    ７５  壺          ７６  壺底
８０  接地面
【図１】
2007117331.tif 000003
【図２】
2007117331.tif 000004
【図３】
2007117331.tif 000005
【図４】
2007117331.tif 000006
【図５】
2007117331.tif 000007
【図６】
2007117331.tif 000008